(57)【要約】  インターフェース２を介して回転軸ａｘ周りで駆動されて、トリマライン３を回転させるように構成されたトリマヘッド１を開示する。トリマヘッド１は、ハウジング１ａ、１ｂ、インターフェース２、トリマラインスプール５、５’及び自動供給機構７を備える。自動供給機構７は、トリマヘッド１にインターフェース２を介して回転速度の変化の閾値割合よりも高い割合で回転速度の変化が生じるときに、トリマラインスプール５、５’に巻かれたトリマライン３を解放するように構成される。トリマヘッド１は、自動供給機構７に接続されたアクチュエータ９、９’をさらに備え、アクチュエータ９、９’を手動で作動させることにより、トリマラインスプール５、５’周りに巻かれたトリマライン３を解放する。本開示は、トリマヘッド１を備えるトリマ１３にさらに関する。
2021512594.tif 000002
【特許請求の範囲】
【請求項１】
インターフェース（２）を介して回転軸（ａｘ）周りで駆動されて、トリマライン（３）を回転させるように構成されたトリマヘッド（１）であって、前記トリマヘッド（１）は、
−ハウジング（１ａ、１ｂ）と、
−前記インターフェース（２）と、
−トリマラインスプール（５、５’）と、
−自動供給機構（７）と、を具備し、
前記自動供給機構（７）は、前記トリマヘッド（１）に前記インターフェース（２）を介して回転速度の変化の閾値割合よりも高い割合で回転速度の変化が生じるときに、前記トリマラインスプール（５、５’）に巻かれたトリマライン（３）を解放するように構成される、トリマヘッド（１）において、
前記トリマヘッド（１）は、前記自動供給機構（７）に接続されたアクチュエータ（９、９’）をさらに具備し、前記アクチュエータ（９、９’）を手動で作動させて、前記トリマラインスプール（５、５’）に巻かれた前記トリマライン（３）を解放することを特徴とする、トリマヘッド。
【請求項２】
前記自動供給機構（７）は、前記トリマラインスプール（５、５’）が前記ハウジング（１ａ、１ｂ）に対して回転することを可能にすることにより、前記トリマライン（３）を解放するように構成される、請求項１に記載のトリマヘッド（１）。
【請求項３】
前記自動供給機構（７）は、前記トリマラインスプール（５、５’）が前記ハウジング（１ａ、１ｂ）に対して所定の角度回転することを可能にするように構成される、請求項２に記載のトリマヘッド（１）。
【請求項４】
前記アクチュエータ（９、９’）は、前記自動供給機構（７）が前記トリマライン（３）を係止する第１の位置と、前記自動供給機構（７）が前記トリマライン（３）を解放する第２の位置との間で移動可能であり、前記アクチュエータ（９、９’）は前記第１の位置に向かって付勢される、請求項１〜３のいずれか１項に記載のトリマヘッド（１）。
【請求項５】
前記アクチュエータ（９、９’）は、前記回転軸（ａｘ）周りに任意の角度押されるか、回転させられることによって手動で作動するように構成される、請求項１〜４のいずれか１項に記載のトリマヘッド（１）。
【請求項６】
前記トリマヘッド（１）は、前記トリマヘッド（１）がトリマ（１３）に装着されたときに、前記トリマ（１３）に面するように構成された第１の部分（１１）と、前記トリマ（１３）に背を向けるように構成された第２の部分（１５）とを備え、前記アクチュエータ（９、９’）は前記第１の部分（１１）に配置される、請求項１〜５のいずれか１項に記載のトリマヘッド（１）。
【請求項７】
前記トリマヘッド（１）は、前記トリマラインスプール（５、５’）に動作可能に接続された内部本体（１ｃ）を備え、前記内部本体（１ｃ）は、前記トリマヘッド（１）に前記インターフェース（２）を介して回転速度の前記変化が生じるときに、前記ハウジング（１ａ、１ｂ）に対して動くように構成され、前記自動供給機構（７）は、前記内部本体（１ｃ）が前記ハウジング（１ａ、１ｂ）に対して動くと、前記トリマラインスプール（５、５’）周りに巻かれた前記トリマライン（３）を解放するように構成される、請求項１〜６のいずれか１項に記載のトリマヘッド（１）。
【請求項８】
前記自動供給機構（７）は、前記ハウジング（１ａ、１ｂ）と前記内部本体（１ｃ）とに動作可能に接続された機構本体（７’、７’’）を備える、請求項７に記載のトリマヘッド（１）。
【請求項９】
前記アクチュエータ（９、９’）は前記機構本体（７’、７’’）に動作可能に接続される、請求項８に記載のトリマヘッド（１）。
【請求項１０】
前記機構本体（７’）は前記回転軸（ａｘ）の方向に動作可能であり、前記内部本体（１ｃ）は、前記内部本体（１ｃ）が前記ハウジング（１ａ、１ｂ）に対して動くとき、前記回転軸（ａｘ）の方向に前記機構本体（７’）を移動させるように構成される、請求項８又は９に記載のトリマヘッド（１）。
【請求項１１】
前記機構本体（７’）は、前記トリマラインスプール（５）上に配置された少なくとも１つの止め具（２１）と協働するようにそれぞれ構成された少なくとも１つの第１の止め具（１７）及び少なくとも１つの第２の止め具（１９）を備え、
前記少なくとも１つの第２の止め具（１９）は、前記回転軸（ａｘ）の方向に前記少なくとも１つの第１の止め具（１７）から距離を置いて配置され、前記回転軸（ａｘ）周りに前記少なくとも１つの第１の止め具（１７）から任意の円周距離をあけて配置される、請求項１０に記載のトリマヘッド（１）。
【請求項１２】
前記機構本体（７’）は前記ハウジング（１ａ、１ｂ）に回転自在に係止される、請求項８〜１１のいずれか１項に記載のトリマヘッド（１）。
【請求項１３】
前記アクチュエータ（９）は前記内部本体（１ｃ）に動作可能に接続される、請求項７〜１２のいずれか１項に記載のトリマヘッド（１）。
【請求項１４】
前記機構本体（７’’）は係止レバー（２３）を具備し、前記アクチュエータ（９’）は前記係止レバー（２３）に動作可能に接続される、請求項８又は９に記載のトリマヘッド（１）。
【請求項１５】
前記トリマヘッド（１）は、前記ハウジング（１ａ、１ｂ）に接続されたバネ（５０）を備えたバネ保持部材（３８）をさらに具備し、前記バネ保持部材（３８）は前記アクチュエータ（９’）を前記係止レバー（２３）に接続する、請求項１４に記載のトリマヘッド（１）。
【請求項１６】
前記バネ保持部材（３８）は、前記トリマヘッド（１）が閾値回転速度を上回る回転速度で回転するときに、前記バネ保持部材（３８）を前記内部本体（１ｃ）に係止するように構成された遠心係止装置（４６）を備える、請求項１５に記載のトリマヘッド（１）。
【請求項１７】
前記トリマラインスプール（５’）は凹部（４２）を備え、前記凹部（４２）は、その内周壁（４３）上に少なくとも１つの半径方向に突出する内部止め具（４０）を備え、その外周壁（４４）上に少なくとも１つの半径方向に突出する外部止め具（４１）を備え、前記少なくとも１つの内部止め具（４０）は、前記少なくとも１つの外部止め具（４１）に対して円周方向に移動し、 
前記係止レバー（２３）は、前記少なくとも１つの半径方向に突出する内部止め具（４０）と前記少なくとも１つの半径方向に突出する外部止め具（４１）と協働するように構成される、請求項１４〜１６のいずれか１項に記載のトリマヘッド（１）。
【請求項１８】
前記内部本体（１ｃ）は、前記トリマヘッド（１）に前記インターフェース（２）を介して回転速度の前記変化が生じるときに、前記ハウジング（１ａ、１ｂ）に対して回転するように構成され、
前記自動供給機構（７）は、前記内部本体（１ｃ）が前記ハウジング（１ａ、１ｂ）に対して回転すると、前記トリマラインスプール（５、５’）周りに巻かれた前記トリマライン（３）を解放するように構成される、請求項７〜１７のいずれか１項に記載のトリマヘッド（１）。
【請求項１９】
前記トリマヘッド（１）は、前記内部本体（１ｃ）と前記ハウジング（１ａ、１ｂ）との間の相対運動を打ち消すように構成された少なくとも１つのバネ（２４、５０）を備える、請求項７〜１８のいずれか１項に記載のトリマヘッド（１）。
【請求項２０】
前記インターフェース（２）は前記内部本体（１ｃ）に配置される、請求項７〜１９のいずれか１項に記載のトリマヘッド（１）。
【請求項２１】
前記インターフェース（２）は駆動軸インターフェースである、請求項１〜２０のいずれか１項に記載のトリマヘッド（１）。
【請求項２２】
前記アクチュエータ（９、９’）は前記回転軸（ａｘ）から距離を置いて配置される、請求項１〜２１のいずれか１項に記載のトリマヘッド（１）。
【請求項２３】
請求項１〜２２のいずれか１項に記載のトリマヘッド（１）を備えるトリマ（１３）。
【請求項２４】
前記トリマ（１３）は、前記トリマヘッド（１）の前記インターフェース（２）を介して、回転速度の変化の閾値割合よりも高い割合で前記トリマヘッド（１）の回転速度を変化させることによって、前記トリマヘッド（１）の前記トリマラインスプール（５、５’）周りに巻かれたトリマライン（３）の供給を開始するように構成される、請求項２３に記載のトリマ（１３）。
【発明の詳細な説明】
【技術分野】
【０００１】
本発明は、回転軸を中心に駆動されてトリマラインを回転させるように構成されたトリマヘッドに関する。本発明は、トリマヘッドを備えるトリマにさらに関する。
【背景技術】
【０００２】
トリマとは、１つ又は複数のトリマラインを高速で回転させることによって動作するものである。トリマラインは、芝生などの植物に衝突すると、植物を切断する。植物とトリマラインとの間の物理的な相互作用により、トリマラインが摩耗し、トリマラインは典型的には時間とともに短くなる。均等な切断操作を提供するには、追加のラインを供給する必要がある。
【０００３】
従来技術の解決策では、トリマヘッドの下側に配置された押しボタンをトリマに設ける。ユーザが追加のラインを供給したい場合、ユーザはトリマヘッドを地面に押しつけて、ラインを供給させる押しボタンを押すことによってラインを供給することができる。しかし、押しボタンがトリマヘッドから突出しているため、この構成はトリマヘッドの切断高さを増大させることになり、厳密で正確な刈り込みには適していない。さらに、トリマヘッドを地面に押しつけると、不要な円形マークが植物に形成される。
【０００４】
ユーザの介入なしにトリマラインを供給することができる自動供給機構を備えたトリマヘッドが開発された。そのようなトリマヘッドは、一般的な押しボタンによって解決するトリマヘッドよりも使用が簡素であり、トリマヘッドを地面に押しつける必要がない。しかし、そのようなトリマヘッドにもいくつかの問題がある。例えば、トリマラインの使いやすさ、もつれ、固着、溶結が挙げられる。即ち、例えば、トリマラインがトリマラインスプール周りに不注意に巻き付けられている場合、例えば、少し緩んでいる場合、トリマヘッドの動作中にトリマラインが固着したり、引っ掛かったり、絡まったりするリスクがある。これは、トリマヘッドが高速で回転し、トリマラインが遠心力を受けて、切断時に植物の抵抗に遭遇することによるものである。
【０００５】
トリマヘッドの動作中、トリマラインスプール周りに巻かれたトリマラインの一部が、互いに擦れる可能性がある。その結果、トリマラインの一部に溶結が発生する可能性がある。これは、トリマラインの一部が互いに固着することを意味する。そのような溶結は、自動供給機構の機能を損なう可能性がある。さらに、トリマラインには、トリマラインの一部の溶結の確率にも影響を及ぼし得るライン材料及びライン表面構造に関してさまざまな品質のものがある。トリマラインのもつれ、引っ掛かり、固着及び溶結は、ユーザにとって解決するのが面倒なものである場合がある。
【発明の概要】
【０００６】
本発明の目的は、上述の問題及び欠点の少なくともいくつかを克服するか、少なくとも軽減することである。
【０００７】
本発明の第１の態様によれば、この目的は、トリマラインを回転させるために、インターフェースを介して回転軸周りで駆動するように構成されたトリマヘッドによって達成される。トリマヘッドは、ハウジング、インターフェース、トリマラインスプール及び自動供給機構を備える。自動供給機構は、トリマヘッドにインターフェースを介して、回転速度の変化の閾値割合よりも高い割合で回転速度の変化が生じたときに、トリマラインスプール周りに巻かれたトリマラインを解放するように構成される。トリマヘッドは、自動供給機構に接続されたアクチュエータをさらに備え、その結果、アクチュエータを手動で作動させて、トリマラインスプール周りに巻かれたトリマラインを解放する。
【０００８】
これにより、インターフェースを介して閾値割合よりも高い割合で回転速度の変化が生じるだけでトリマラインを供給することができるトリマヘッドが提供される。その結果、トリマヘッドの動作中にトリマラインの供給を簡素な方法で実施することができる。さらに、トリマヘッドを地面に押しつける必要がなくなり、芝生に不要な円形マークが形成されるのを回避することができる。さらに、トリマヘッドの下側に押しボタンを配置する必要がなくなり、切断高さの低いトリマヘッドに必要な条件が整う。
【０００９】
さらに、トリマヘッドは、自動供給機構に接続されたアクチュエータを備えているため、ユーザが、アクチュエータを作動させることにより、トリマラインの手動供給を簡素かつ迅速に実施することができる。このため、ユーザがトリマヘッドの停止中にトリマヘッドを分解することを必要とせずに簡素な方法で、トリマラインを手動供給することができるトリマヘッドが提供される。例えば、トリマラインが短くなりすぎた場合、自動供給機構は、トリマラインに作用する遠心力が小さすぎるためトリマラインを供給することができないことから、トリマラインを供給することができない場合がある。自動供給機構を備える従来技術のトリマヘッドでは、ユーザは、そのような場合、トリマラインを供給できるようにトリマヘッドを分解しなければならないであろう。しかし、提供されるトリマヘッドは、自動供給機構に接続されたアクチュエータを備えるため、ユーザは、そのような場合にも、アクチュエータを作動させることにより、トリマラインを簡素かつ迅速に供給することができる。
【００１０】
別の例として、場合によっては、トリマラインは、トリマラインスプールに絡まるか、引っ掛かるか、固着されるか、溶結されることがある。自動供給機構を備える従来技術のトリマヘッドでは、ユーザは、そのような場合、トリマラインを供給することができるようにトリマヘッドを分解しなければならないであろう。しかし、提供されるトリマヘッドは、自動供給機構に接続されたアクチュエータを備えるため、ユーザは、そのような場合にも、アクチュエータを作動させることにより、トリマラインを簡素かつ迅速に供給することができる。
【００１１】
さらに別の例として、汚れ、油脂及び植物の残留物が、自動供給機構の機能を損なう場合がある。その結果、自動供給機構がトリマラインを供給することができない場合がある。自動供給機構を備えた従来技術のトリマヘッドでは、ユーザは、そのような場合、トリマヘッドを分解し、そのような汚れを取り除いてから、トリマヘッドを組み立てなければならないであろう。しかし、提供されるトリマヘッドは自動供給機構に接続されたアクチュエータを備えるため、ユーザは、そのような場合にも、アクチュエータを１回又は複数回作動させるだけで、トリマラインを供給し、自動供給機構の機能を回復することができる。
【００１２】
このため、上記のように、トリマヘッドの動作中にトリマラインを簡素に供給することができ、トリマヘッドの停止中にトリマラインを手動で解放することができる、さらに使いやすいトリマヘッドが提供される。このため、上記の問題及び欠点の少なくともいくつかを克服するか、少なくとも軽減するトリマヘッドが提供される。その結果、上記目的は達成される。
【００１３】
必要に応じて、自動供給機構は、トリマラインスプールをハウジングに対して回転させることによってトリマラインを解放するように構成される。それにより、トリマラインの簡素で信頼性の高い供給が実施される。
【００１４】
必要に応じて、自動供給機構は、トリマラインスプールがハウジングに対して所定の角度回転することができるように構成される。それにより、トリマラインの簡素で信頼性の高い供給が実施される。さらに、アクチュエータが手動で作動され、トリマヘッドにインターフェースを介して変化の閾値割合よりも高い割合で回転速度の変化が生じたときに、所定の長さのトリマラインが供給される。その結果、トリマラインの過剰供給が回避される。これにより、トリマラインのもつれ、引っ掛かり、固着のリスクが低減され、トリマラインの消費が低く抑えられる。
【００１５】
必要に応じて、アクチュエータは、自動供給機構がトリマラインを係止する第１の位置と、自動供給機構がトリマラインを解放する第２の位置との間で移動可能である。ここで、アクチュエータは第１の位置に向かって付勢される。それにより、第１の位置からのアクチュエータの意図しない移動のリスクが低減される。結果としてさらに、トリマラインの意図しない供給が回避され、トリマラインのもつれ、引っ掛かり及び固定のリスクが低減され、トリマラインの消費が低減される。
【００１６】
必要に応じて、アクチュエータは、押すか、回転軸周りに任意の角度回転させることによって手動で作動させるように構成される。これにより、アクチュエータの意図しない作動のリスクが低減される。その結果としてさらに、トリマラインの意図しない供給のリスクが低減され、トリマラインのもつれ、引っ掛かり及び固着のリスクが低減され、トリマラインの消費が低減される。さらに、アクチュエータが軸方向、即ち、回転軸と一致する方向に移動可能である必要がないため、高さが低いトリマヘッドに必要な条件が提供される。その結果としてさらに、厳密かつ正確な刈り込みに必要な条件を提供し、切断高さが低いトリマヘッドに必要な条件が提供される。
【００１７】
必要に応じて、トリマヘッドは、トリマに取り付けられるとき、トリマに面するように構成された第１の部分と、トリマに背を向けるように構成された第２の部分とを備える。ここで、アクチュエータは第１の部分に配置される。これにより、アクチュエータの意図しない作動のリスクが低減される。その結果としてさらに、トリマラインの意図しない供給が回避され、トリマラインのもつれ、引っ掛かり及び固着のリスクが低減され、トリマラインの消費が低減される。さらに、アクチュエータは、トリマに面するように構成された第１の部分に配置されるため、汚れ、油脂、植物の残留物から保護されるほか、地面の物体による損傷から保護される。さらに、切断高さが低く、第２の部分の滑らかな表面を有するトリマヘッドに必要な条件が提供される。これにより、厳密で正確な刈り込みに必要な条件が提供される。
【００１８】
必要に応じて、トリマヘッドは、トリマラインスプールに動作可能に接続された内部本体を備える。ここで、内部本体は、トリマヘッドにインターフェースを介して回転速度の上記の変化が生じると、ハウジングに対して移動するように構成され、自動供給機構は、内部本体がハウジングに対して移動するときに、トリマラインスプール周りに巻かれたトリマラインを解放するように構成される。これにより、簡素で効率的で信頼性の高い自動供給機構が提供される。さらに、アクチュエータと自動供給機構との間に簡素で信頼性の高い接続を提供することができるため、トリマラインの簡素で効率的で信頼性の高い手動解放が可能になる。
【００１９】
必要に応じて、自動供給機構は、ハウジング及び内部本体に動作可能に接続された機構本体を備える。これにより、簡素で効率的で信頼性の高い自動供給機構が提供される。これは、内部本体がハウジングに対して移動すると、機構本体がトリマラインスプール周りに巻かれたトリマラインを解放し得ることによるものである。さらに、アクチュエータと自動供給機構との間に簡素で信頼性の高い接続を提供することができるため、トリマラインの簡素で効率的で信頼性の高い手動解放が可能になる。
【００２０】
必要に応じて、アクチュエータは機構本体に動作可能に接続される。これにより、トリマラインの手動解放を、簡素で効率的で信頼性の高い方法によって実施することができる。これは、ユーザがアクチュエータを作動させるだけで、機構本体にトリマラインスプール周りに巻かれたトリマラインを解放させ得ることによるものである。
【００２１】
必要に応じて、機構本体は、回転軸の方向に移動可能であり、内部本体は、ハウジングに対して移動すると、回転軸の方向に機構本体を移動させるように構成される。これにより、簡素で堅牢で信頼性の高い自動供給機構が提供される。さらに、均衡の取れたトリマヘッドに必要な条件を提供する回転対称機構本体を使用するのに必要な条件が提供される。さらに、機構本体に作用する遠心力又は求心力が、内部本体の移動に及ぼす影響は小さい。これは、一貫した信頼性のある自動供給機構に必要な条件を提供する。
【００２２】
必要に応じて、機構本体は、トリマラインスプールに配置された少なくとも１つの止め具と協働するようにそれぞれ構成された少なくとも１つの第１の止め具と、少なくとも１つの第２の止め具とを備える。少なくとも１つの第２の止め具は、回転軸の方向に少なくとも１つの第１の止め具から距離をあけて配置され、回転軸周りに少なくとも１つの第１の止め具から円周方向に距離をあけて配置される。これにより、簡素で効率的で信頼性の高い自動供給機構が提供される。さらに、トリマラインの簡素で効率的で信頼性の高い手動解放に必要な条件が提供される。
【００２３】
必要に応じて、機構本体はハウジングに回転自在に係止される。これにより、堅牢で効率的で信頼性の高い自動供給機構が提供される。
【００２４】
必要に応じて、アクチュエータは内部本体に動作可能に接続される。これにより、ユーザが、例えば、トリマヘッドのハウジングを把持してアクチュエータを作動させることにより、簡素かつ効率的な方法でトリマラインの手動供給を実施することができるようにする堅牢なトリマヘッドが提供される。
【００２５】
必要に応じて、機構本体は係止レバーを備え、アクチュエータは係止レバーに動作可能に接続される。これにより、簡素で効率的で信頼性の高い自動供給機構が提供される。さらに、アクチュエータを作動させることにより、トリマラインの手動解放を簡素で効率的で信頼性の高い方法で実施することができる。
【００２６】
必要に応じて、トリマヘッドは、ハウジングに接続されたバネを備えたバネ保持部材をさらに備える。バネ保持部材は、アクチュエータを係止レバーに接続する。これにより、アクチュエータと係止レバーとの間に効率的で信頼性の高い接続が提供され、トリマラインを簡素かつ効率的に手動で解放することができる。
【００２７】
必要に応じて、バネ保持部材は、トリマヘッドが閾値回転速度を上回る回転速度で回転するときにバネ保持部材を内部本体に係止するように構成された遠心係止装置を備える。これにより、バネ保持部材は、内部本体がハウジングに対して動き、トリマヘッドが閾値回転速度を上回る回転速度で回転すると、ハウジングに対して動くことになる。その結果、トリマヘッドが閾値回転速度を上回る回転速度で回転したとき、あるいはアクチュエータが作動したときにのみトリマラインを解放する自動供給機構に必要な条件が提供される。その結果、低めの回転速度でのトリマラインの意図しない解放を回避することができ、トリマラインのもつれ、引っ掛かり、固着のリスクを低減し、トリマラインの消費を低減する。さらに、２つの異なる回転方向で動作することができるトリマヘッドに必要な条件が提供される。
【００２８】
必要に応じて、トリマラインスプールは、凹部を備える。凹部は、その内周壁に少なくとも１つの半径方向に突出する内部止め具を備え、その外周壁に少なくとも１つの半径方向に突出する外部止め具を備える。少なくとも１つの内部止め具は、少なくとも１つの外部止め具に対して周方向に移動する。ここで、係止レバーは、少なくとも１つの半径方向に突出する内部止め具と少なくとも１つの半径方向に突出する外部止め具と協働するように構成される。これにより、係止レバーと少なくとも１つの内部止め具及び少なくとも１つの外部止め具との間の相互作用により、トリマラインの簡素で効率的で信頼性の高い解放を実施することができる。このため、簡素で効率的で信頼性の高い自動供給機構のほか、トリマラインの簡素で効率的で信頼性の高い手動解放に必要な条件が提供される。
【００２９】
必要に応じて、内部本体は、トリマヘッドにインターフェースを介して回転速度の上記の変化が生じたときに、ハウジングに対して回転するように構成される。自動供給機構は、内部本体がハウジングに対して回転するときに、トリマラインスプール周りに巻かれたトリマラインを解放するように構成される。これにより、簡素で効率的で信頼性の高い自動供給機構が提供される。さらに、アクチュエータと自動供給機構との間に簡素で信頼性の高い接続を提供することができるため、トリマラインの簡素で効率的で信頼性の高い手動解放が可能になる。
【００３０】
必要に応じて、トリマヘッドは、内部本体とハウジングとの間の相対運動を打ち消すように構成された少なくとも１つのバネを備える。これにより、信頼性が高く予測可能なトリマラインの解放が提供される。
【００３１】
必要に応じて、インターフェースは内部本体に配置される。これにより、堅牢なトリマヘッドが提供される。さらに、内部本体にインターフェースを介して、回転速度の変化の閾値割合よりも高い割合で回転速度の変化を生じさせることによって、内部本体とハウジングとの間の相対運動を効率的で信頼性の高い方法で実施することができる。
【００３２】
必要に応じて、インターフェースは駆動軸インターフェースである。これにより、トリマの駆動軸に簡素で信頼性の高い方法で取り付けることができるトリマヘッドが提供される。
【００３３】
必要に応じて、アクチュエータは、回転軸から距離を置いて配置される。これにより、アクチュエータの作動が容易になる。さらに、アクチュエータは、アクチュエータが汚れ、油脂及び植物の残留物からさらに保護されるほか、動作中の物体による損傷からさらに保護されるトリマヘッドの位置に位置決めすることができる。
【００３４】
本発明の第２の態様によれば、目的は、いくつかの実施形態によるトリマヘッドを備えるトリマによって達成される。トリマは、いくつかの実施形態によるトリマヘッドを備えるため、トリマラインの自動解放のほか、トリマラインの手動解放に必要な条件を有する、さらに使いやすいトリマが提供される。これにより、多くの場合、トリマヘッドを分解する必要がなくなる。
【００３５】
このため、上記の問題及び欠点の少なくともいくつかを克服するか少なくとも軽減するトリマが提供される。その結果、上記目的が達成される。
【００３６】
必要に応じて、トリマは、トリマヘッドにインターフェースを介して回転速度の変化の閾値割合よりも高い割合でトリマヘッドの回転速度の変化が生じることにより、トリマヘッドのトリマラインスプール周りに巻かれたトリマラインの供給を開始するように構成される。これにより、ユーザの介入なしにトリマラインの自動解放を実施する一方で、トリマラインの簡素で信頼性の高い手動解放に必要な条件を提供することができるトリマが提供される。
【００３７】
本発明の別の特徴及び利点が、添付の特許請求の範囲及び以下の詳細な説明を検討するときに明らかになるであろう。
【図面の簡単な説明】
【００３８】
本発明のさまざまな態様が、その特定の特徴及び利点とともに、以下の詳細な説明及び添付の図面にて考察される例示的な実施形態から容易に理解されるであろう。
【図１】図１は、いくつかの実施形態によるトリマの斜視図である。
【図２】図２は、図１に示すトリマのトリマヘッド部分を示す図である。
【図３】図３は、図２に示す実施形態によるトリマヘッドを示す図である。
【図４】図４は、いくつかの別の実施形態によるトリマヘッドを示す図である。
【図５】図５は、図１、図２及び図３に示す実施形態によるトリマヘッドの分解図である。
【図６】図６は、図５に示すトリマヘッドのいくつかの構成要素の第２の分解図である。
【図７】図７は、図４に示す実施形態によるトリマヘッドの分解図である。
【図８】図８は、図７に示すトリマヘッドの上部ハウジング、機構本体及びバネ保持部材を示す図である。
【発明を実施するための形態】
【００３９】
ここで、本発明の態様をさらに全体的に説明する。同一の番号は全体を通して同一の要素を指す。周知の機能又は構造は、簡潔さ及び／又は明確さのために必ずしも詳細に説明されない。
【００４０】
図１は、いくつかの実施形態によるトリマ１３の斜視図を示す。トリマ１３は、図示の実施形態では電気モータを備える動力源４を備える。トリマ１３は、電気モータに電気を供給するための１つ又は複数の電池及び／又は電気コネクタを備えてもよい。別の実施形態によれば、動力源４は燃焼機関及び燃料タンクを備える。トリマ１３は、トリマヘッド１、ポール６、少なくとも１つのハンドル８、８’及びトリムガード１０をさらに備える。トリマヘッド１、動力源４、少なくとも１つのハンドル８、８’及びトリムガード１０はポール６に取り付けられる。動力源４は、ポール６を通って延びるシャフトを介してトリマヘッド１を回転させるように構成される。別の実施形態によれば、動力源４はトリマヘッド１の領域に配置されてもよい。そのような実施形態によれば、トリマ１３には、ポール６を通って延びるシャフトがなくてもよい。その代わりに、動力源４の出力シャフトを、トリマヘッド１のインターフェースに直接又はトランスミッションを介して接続してもよい。トリマヘッド１は、トリマヘッド１の回転時に芝生などの植物を切断するように構成されたトリマライン３を備える。トリマ１３は、少なくとも１つのハンドル８、８’に隣接するか同ハンドル上にある、速度制御ボタン、スロットル制御ボタン及び／又は始動ボタンなどの１つ又は複数のボタン１２を備えてもよい。少なくとも１つのハンドル８、８’は、ハンドル８、８’を保持するときにユーザの手によって押し下げられるデッドマンズハンドスイッチ１４をさらに備えてもよい。
【００４１】
図２は、図１に示すトリマ１３のトリマヘッド部分１６を示す。図２は、トリマヘッド部分１６に取り付けられた、いくつかの実施形態によるトリマヘッド１をさらに示す。トリマヘッド１は、回転軸ａｘ回りに駆動して、トリマヘッド１から半径方向に延びるトリマライン３を回転させるように構成される。図示の実施形態によれば、トリマヘッド１は、トリマヘッド１から半径方向に延びる２つのトリマライン３を備える。別の実施形態によれば、トリマヘッド１は、１つ、３つ又は４つのトリマライン３など、別の数のトリマライン３を備えてもよい。トリマのトリマヘッド部分１６は、トリマヘッド部分１６から回転軸ａｘの方向に延びるトリマヘッドシャフトを備える。トリマヘッドシャフトは図２では見えない。トリマヘッド部分１６は、ポール６のシャフトからトリマヘッドシャフトに回転を伝達するように配置されたトランスミッション１８をさらに備える。
【００４２】
図３は、図２に示す実施形態によるトリマヘッド１を示す。トリマヘッド１は、トリマヘッド１をトリマのトリマヘッドシャフトに接続するインターフェース２を備える。図示の実施形態によれば、インターフェース２は、半径方向内側に配置されたキー溝を備えるスプラキー溝付き駆動シャフトインターフェースを備える。図２を参照すると、トリマヘッドシャフトは、半径方向外側に配置された対応キー溝を備える。このため、トリマヘッドシャフトは、トリマヘッド１のインターフェース２内に延びるように構成される。別の実施形態によれば、トリマヘッド１は、キー溝付き駆動軸インターフェースとは別のタイプのインターフェース２、例えば、ネジ付きインターフェースを備えてもよい。トリマヘッド１はハウジング１ａ、１ｄをさらに備える。図示の実施形態によるハウジング１ａ、１ｄは、上部ハウジング１ａ及び下部ハウジング１ｂを備える。上部ハウジング１ａは、トリマヘッド１がトリマに取り付けられたときに、トリマに面するように構成されたトリマヘッド１の第１の部分１１の一部を形成する。下部ハウジング１ｂは、トリマヘッド１がトリマに取り付けられたときに、トリマに背を向けるように構成されたトリマヘッド１の第２の部分１５の一部を形成する。このため、第１の部分１１はトリマヘッド１の上側と呼んでもよく、第２の部分１５はトリマヘッド１の下側と呼んでもよい。
【００４３】
図４は、いくつかの別の実施形態によるトリマヘッド１を示す。このような実施形態によるトリマヘッド１は、図３を参照して説明した実施形態によるインターフェース２と、ハウジング１ａ、１ｂとを備える。
【００４４】
図５は、図１、図２及び図３に示す実施形態によるトリマヘッド１の分解図を示す。図５では、上部ハウジング１ａと下部ハウジング１ｂとは分離される。図からわかるように、ハウジング１ａ、１ｂは、トリマラインスプール５を収容するように構成される。トリマラインスプール５は、トリマラインスプール５周りに巻かれたトリマラインを収容するように構成される。図示の実施形態によれば、上部ハウジング１ａは、図３に示すように、トリマヘッド１が組み立てられた状態にあるとき、下部ハウジング１ｂの開口部２０’に嵌合するように構成されたスナップ構成２０を備える。このようにして、上部ハウジング１ａは、トリマヘッド１が組み立てられた状態にあるとき、下部ハウジング１ｂに取り付けられる。トリマヘッド１は、自動供給機構７をさらに備える。自動供給機構７は、トリマヘッド１にインターフェース２を介して回転速度の変化の閾値割合よりも高い割合で回転速度の変化が生じると、トリマラインスプール５周りに巻かれたトリマラインを解放するように構成される。このため、トリマヘッド１が閾値割合よりも高い割合でインターフェース２を介してトリマ駆動軸によって加速するか減速すると、自動供給機構７は、トリマラインスプール５周りに巻かれたトリマラインを解放することになる。ここで、自動供給機構７の機能及び特徴について詳細に説明する。トリマヘッド１は、自動供給機構７に接続されたアクチュエータ９をさらに備え、アクチュエータ９を手動で作動させて、トリマラインスプール５周りに巻かれたトリマラインを解放する。これにより、ユーザが、トリマヘッド１を分解することを必要とせずに、トリマヘッド１の手動供給を実施することができる。
【００４５】
図示の実施形態によれば、トリマヘッド１は、自動供給機構７を介してトリマラインスプール５に動作可能に接続された内部本体１ｃを備える。図５からわかるように、インターフェース２、即ち、駆動軸インターフェース２は、内部本体１ｃに配置され、回転自在に係止される。内部本体１ｃは、ハウジング１ａ、１ｂに対して動かせる。内部本体１ｃは、トリマヘッド１にインターフェース２を介して回転速度の変化の閾値割合よりも高い割合で回転速度の変化が生じたときに、ハウジング１ａ、１ｂに対して動くように構成される。自動供給機構７は、内部本体１ｃがハウジング１ａ、１ｂに対して動くとき、即ち、回転するときに、トリマラインスプール５周りに巻かれたトリマラインを解放するように構成される。
【００４６】
図示の実施形態によれば、自動供給機構７は、ハウジング１ａ、１ｂ及び内部本体１ｃに動作可能に接続された機構本体７’を備える。
【００４７】
図６は、図５に示すトリマヘッド１のいくつかの構成要素の第２の分解図を示す。図６からわかるように、上部ハウジング１ａは、トリマヘッド１の回転軸ａｘと同じ方向に延びるキー溝２２’を備える部分２２を備える。図５から最もよくわかるように、機構本体７’は、トリマヘッド１の回転軸ａｘと同じ方向に延びる細長い突起２２’’を備える。機構本体７’の細長い突起２２’’は、トリマヘッド１が組み立てられた状態にあるとき、上部ハウジング１ａのキー溝２２’内に延びるように構成される。このため、このような特徴により、機構本体７’は、トリマヘッドが組み立てられた状態にあるとき、ハウジング１ａ、１ｂに回転自在に係止される。機構本体７’の細長い突起２２’’は、上部ハウジング１ａのキー溝２２’に対して摺動することができる。このため、機構本体７’は、トリマヘッド１が組み立てられた状態にあるとき、回転軸ａｘの方向に動くことができる。さらに、図５及び図６からわかるように、図示の実施形態によれば、トリマヘッド１は、上部ハウジング１ａから下部ハウジング１ｂに向かう方向に機構本体７’に力を付与するように構成されたバネ２４を備える。図６から最もよくわかるように、内部本体１ｃはピッチ面２６を備え、機構本体７’は当接面２６’を備える。当接面２６’は、トリマヘッド１が組み立てられた状態にあるとき、ピッチ面２６に当接するように構成される。当接面２６’がピッチ面２６に当接するため、内部本体１ｃは、ハウジング１ａ、１ｂに対して回転すると、機構本体７’を回転軸ａｘの方向に上部ハウジング１ａに向かって移動させることになる。 機構本体７’が移動すると、バネ２４が圧縮される。
【００４８】
図５に示すように、機構本体７’は、一組の第１の止め具１７と一組の第２の止め具１９とを備える。図示の実施形態によれば、第１及び第２の止め具１７、１９は、機構本体７’の半径方向外側に突出している。また、トリマラインスプール５は、トリマラインスプール５の半径方向内側に突出する一組の止め具２１を備える。機構本体７’の第１及び第２の止め具１７、１９は、トリマラインスプール５の止め具２１と協働するように構成される。自動供給機構７が非作動状態にあるとき、バネ２４は機構本体７’を下部ハウジング１ｂに向かって第１の位置に位置づける。第１の位置では、図６に示す当接面２６’は、ピッチ面２６の下部２８にある。機構本体７’が第１の位置にあるとき、トリマラインスプール５は、図５に示す一組の第１の止め具１７とトリマラインスプール５の止め具２１との間の当接により、ハウジング１ａ、１ｂに対して回転することが防止される。第２の止め具１９は、回転軸ａｘの方向に第１の止め具１７から距離を置いて配置される。自動供給機構７が非作動状態から作動状態に移行するとき、例えば、内部本体１ｃがハウジング１ａ、１ｂに対して動くとき、即ち、回転するとき、ピッチ面２６は、機構本体７’を第２の位置に向かって、下部ハウジング１ｂから上部ハウジング１ａに向かう方向に移動させる。第２の位置では、図６に示す当接面２６’は、ピッチ面２６の上部２８’にある。機構本体７’が第２の位置にあるとき、トリマラインスプール５は、図５に示す一組の第２の止め具１９とトリマラインスプール５の止め具２１との間の当接により、ハウジング１ａ、１ｂに対して回転することが防止される。さらに、図５からわかるように、第２の止め具１９は、回転軸ａｘ周りで第１の止め具１７に対して円周方向に移動する。
【００４９】
このため、内部本体１ｃがハウジング１ａ、１ｂに対して動き、機構本体７’を第１の位置から第２の位置に向かって移動させると、トリマラインスプール５は、ハウジング１ａ、１ｂに対して所定の角度回転することができる。このため、図示の実施形態によれば、自動供給機構７は、トリマラインスプール５がハウジング１ａ、１ｂに対して所定の角度回転することを可能にすることによってトリマライン３を解放するように構成される。所定の角度は、第１の止め具１７と第２の止め具１９との間の円周距離によって判定される。図示の実施形態によれば、所定の角度は約３０度である。
【００５０】
自動供給機構７が作動状態から非作動状態に移行すると、バネ２４は機構本体７’を第１の位置に移動させる。第１の位置では、トリマラインスプール５は、第１の止め具１７とトリマラインスプール５の止め具２１との間の当接により、ハウジング１ａ、１ｂに対して回転することが防止される。第１の止め具１７が第２の止め具１９に対して回転軸ａｘ周りに円周方向に移動するため、トリマラインスプール５は、自動供給機構７が作動状態から非作動状態に移行すると、ハウジング１ａ、１ｂに対して任意の角度回転することができる。このため、自動供給機構７が非作動状態から作動状態に移行し、非作動状態に戻る一連の過程では、トリマラインスプールの止め具２１は、最初の第１の止め具１７、第２の止め具１９に当接し、次に、回転軸ａｘ周りの円周方向位置が最初の第１の止め具１７とは異なる位置に配置された隣接する第１の止め具１７に当接することになる。図示の実施形態によれば、２つの隣接する第１の止め具１７の当接面が、回転軸ａｘ周りで互いから約６０度離れて配置される。これにより、自動供給機構７が非作動状態から作動状態に移行し、非作動状態に戻る一連の過程では、トリマラインスプール５は、回転軸ａｘ周りに約６０度回転することができる。
【００５１】
図５に示すように、下部ハウジング１ｂは開口部３０を備え、開口部３０を通して、トリマヘッド１の使用中にトリマラインが延びることになる。作動中、トリマラインに作用する遠心力がトリマラインを開口部３０を通して引っ張る。このため、トリマラインは、トリマラインスプール５がハウジング１ａ、１ｂに対して回転すると、供給されることになる。トリマラインに作用する遠心力は、自動供給機構７がそのような回転を可能にすると、トリマラインスプール５をハウジング１ａ、１ｂに対して回転させ得る。
【００５２】
記載したように、トリマヘッド１はアクチュエータ９をさらに備える。図示の実施形態によれば、アクチュエータ９は、円盤形状であり、回転軸ａｘ周りの全周に沿って延びる。図６に示すように、アクチュエータ９は突起３２を備える。アクチュエータ９の突起３２は、内部本体１ｃの上部の切り欠き３４内に延びるように構成される。内部本体１ｃの上部の切り欠き３４はこのほか、図５に見られ示される。さらに、図６に示すように、アクチュエータ９はスナップ構成３３を備える。スナップ構成３３は、図５に示すように、内部本体１ｃの開口部３３’内に延びて、アクチュエータ９を内部本体１ｃに取り付けるように構成される。このため、図示の実施形態によれば、アクチュエータ９は、内部本体１ｃに回転自在に係止されることによって、内部本体１ｃに動作可能に接続される。アクチュエータ９は、回転軸ａｘ周りに任意の角度押したり回転させたりすることにより手動で作動させるように構成される。アクチュエータ９は、アクチュエータ９を手動によって作動させて機構本体７’を移動させるという意味で、機構本体７’に動作可能に接続される。以下、図２、図５及び図６を同時に参照して説明する。ユーザがトリマライン３の手動供給を実施したい場合、ユーザはハウジング１ａ、１ｂを単に把持して、ハウジング１ａ、１ｂに対してアクチュエータ９を動かしてもよい。もちろん、ユーザはこのほか、アクチュエータ９に対してハウジング１ａ、１ｂを動かすことにより、トリマライン３の手動供給を実施してもよい。その結果として、内部本体１ｃは、ハウジング１ａ、１ｂに対して動き、即ち、回転し、それにより、内部本体１ｃは、機構本体７’を回転軸ａｘの方向に第１の位置から第２の位置に移動させることになる。その結果、トリマラインスプール５周りに巻かれたトリマライン３は、トリマラインスプール５が自由になり、ハウジング１ａ、１ｂに対して所定の角度回転するため、解放される。次に、ユーザはトリマライン３を引っ張って、その供給を実施することができる。ユーザがアクチュエータ９を解放すると、バネ２４は機構本体７’を第２の位置から第１の位置に回転軸ａｘの方向に移動させ、トリマラインスプール５は自由になり、ハウジング１ａ、１ｂに対して所定角度回転する。このため、ユーザは、アクチュエータ９を解放した後、トリマライン３を引っ張って、トリマライン３の追加の供給を実施してもよい。ユーザがさらに追加のトリマライン３を供給したい場合、ユーザはトリマライン３を引っ張っている間に、ハウジング１ａ、１ｂに対してアクチュエータ９を何度か作動させて動かしてもよい。
【００５３】
図５及び図６に示すように、トリマヘッド１は、上部ハウジング１ａとアクチュエータ９との間に配置されたバネ５０、例えば、捻りバネを備える。バネ５０は、アクチュエータ９とハウジング１ａ、１ｂとの間の相対運動を打ち消すように構成される。アクチュエータ９は内部本体１ｃに回転自在に係止されているため、バネ５０はこのほか、内部本体１ｃとハウジング１ａ、１ｂとの間の相対運動を打ち消すことになる。アクチュエータ９は、自動供給機構７がトリマライン３を係止する第１の位置と、ハウジング１ａ、１ｂに対してトリマラインスプール５の回転を可能にすることにより自動供給機構７がトリマライン３を解放する第２の位置との間で移動可能である。このため、アクチュエータ９は、バネ５０によって第１の位置に向かって付勢される。このため、図示の実施形態によれば、内部本体１ｃとハウジング１ａ、１ｂとの間の相対運動は、バネ５０のほか、機構本体７’に第１の位置に向かって力を付与するバネ２４によって打ち消される。
【００５４】
バネ２４、５０のバネ係数が回転速度の閾値割合に影響を及ぼす、即ち、内部本体１ｃとハウジング１ａ、１ｂとの間の相対運動を得るのに必要な回転速度の割合に影響を及ぼす。さらに、内部本体１ｃ、ハウジング１ａ、１ｂ、トリマラインスプール５及び自動供給機構７などのトリマヘッド１の構成要素の質量及び慣性も、回転速度の変化の閾値割合のほか、構成要素間の摩擦力に影響を及ぼす。このような要因及び態様は、回転速度の望ましい閾値割合を得るために選択されてもよい。いくつかの実施形態によれば、回転速度の変化の閾値割合は、トリマの通常動作中に得られるものよりも高い割合に設定される。そのような実施形態によれば、自動供給機構７は、トリマヘッド１にインターフェース２を介してトリマの通常動作中に得られるものよりも高い回転速度の割合で回転速度の変化が生じたときに、トリマラインの解放を実施することになる。図１に示すトリマ１３は、通常動作中よりも高い割合でトリマヘッド１を加速するか減速することによってトリマライン３の供給を開始するように構成されてもよい。トリマヘッドを制動することによって、例えば、動力源４を制動するか動力源４の動力を逆転することによって、トリマヘッド１を減速してもよい。トリマ１３は、ボタンなどのインターフェース構成要素であって、この構成要素を介してユーザがトリマ１３を制御して、閾値割合よりも高い割合でトリマヘッド１を加速するか減速することによってトリマライン３の供給を開始することができる構成要素を備えてもよい。これとは別に、あるいはこれに加えて、トリマ１３は、トリマライン３の長さを検出するように構成されたセンサを備えてもよい。ここで、トリマ１３は、長さが閾値を下回ったときにトリマライン３の供給を開始するように構成される。
【００５５】
図２に示すように、トリマヘッド１がトリマに装着されると、トリマヘッド１の第１の部分１１がトリマに面し、トリマヘッド１の第２の部分１５がトリマに背を向ける。このため、トリマの動作中にトリマヘッド１が地面に対して水平に保持されると、トリマに背を向けるトリマヘッド１の第２の部分１５は地面に面することになり、トリマに面しているトリマヘッド１の第１の部分１１は地面に背を向けることになる。図示の実施形態によれば、アクチュエータ９は第１の部分１１に配置される。これにより、アクチュエータ９は、ほこり、汚れ及び植物の残留物から保護される。さらに、アクチュエータ９は、地面上の物体による損傷から保護される。さらに、アクチュエータ９の意図しない作動のリスクが低減される。さらに、図１、図２、図３、図５及び図６に示す実施形態によれば、アクチュエータ９は円盤形状であり、回転軸ａｘ周りの全周に沿って延びる。これにより、アクチュエータ９がほこり、汚れ、植物の残留物によって詰まることからさらに保護される。さらに、図１、図２、図３、図５及び図６に示す実施形態によれば、アクチュエータ９、内部本体１ｃ、機構本体７’及びトリマラインスプール５など、トリマヘッド１の多数の構成要素が、トリマヘッド１の回転軸ａｘと一致する中心軸に対して回転対称である。これにより、均衡の取れたトリマヘッド１を容易に提供することができ、使用時の振動量を低減する。さらに、このような実施形態によれば、機構本体７’は、均衡の取れたトリマヘッド１に必要な条件も提供するスリーブ形状である。
【００５６】
図７は、図４に示す実施形態によるトリマヘッド１の分解図を示す。図７では、上部ハウジング１ａと下部ハウジング１ｂとが分離されている。図からわかるように、ハウジング１ａ、１ｂは、トリマラインスプール５’を収容するように配置される。トリマラインスプール５’は、トリマラインスプール５’周りに巻かれたトリマラインを収容するように構成されている。図示の実施形態によれば、上部ハウジング１ａは、図４に示すように、トリマヘッド１が組み立てられた状態にあるとき、下部ハウジング１ｂの開口部２０’に嵌合するように構成されたスナップ構成２０を備える。このようにして、上部ハウジング１ａは、トリマヘッド１が組み立てられた状態にあるとき、下部ハウジング１ｂに取り付けられる。トリマヘッド１は自動供給機構７をさらに備える。自動供給機構７は、トリマヘッド１にインターフェース２を介して回転速度の変化の閾値割合よりも高い割合で回転速度の変化が生じると、トリマラインスプール５’周りに巻かれたトリマラインを解放するように構成される。このため、トリマヘッド１がインターフェース２を介して閾値割合よりも高い割合でトリマ駆動軸によって加速するか減速すると、自動供給機構７は、トリマラインスプール５’周りに巻かれたトリマラインを解放することになる。ここで、自動供給機構７の機能及び特徴について詳細に説明する。トリマヘッド１は、自動供給機構７に接続されたアクチュエータ９’をさらに備え、アクチュエータ９’を手動で作動させて、トリマラインスプール５’周りに巻かれたトリマラインを解放する。これにより、ユーザが、トリマヘッド１を分解することなく、トリマヘッド１の手動供給を実施することができる。
【００５７】
図示の実施形態によれば、トリマヘッド１は、自動供給機構７を介してトリマラインスプール５’に動作可能に接続された内部本体１ｃを備える。図７からわかるように、インターフェース２、即ち、駆動軸インターフェース２は、内部本体１ｃに配置され、内部本体１ｃに回転自在に係止される。内部本体１ｃは、ハウジング１ａ、１ｂに対して動くことができる。図示の実施形態によれば、内部本体１ｃは、円盤形状であり、少なくとも１つの滑り止め３７を備える。上部ハウジング１ａに配置された止め具が、少なくとも１つの滑り止め３７内に延び、それにより、内部本体１ｃとハウジング１ａ、１ｂとの間の相対運動を、２０〜３５度、即ち、約２５度などの特定の角度に制限する。内部本体１ｃは、トリマヘッド１にインターフェース２を介して回転速度の変化の閾値割合よりも高い割合で回転速度の変化が生じると、ハウジング１ａ、１ｂに対して動くように構成される。自動供給機構７は、内部本体１ｃがハウジング１ａ、１ｂに対して動くとき、即ち、回転するときに、トリマラインスプール５’周りに巻かれたトリマラインを解放するように構成される。
【００５８】
図示の実施形態によれば、自動供給機構７は、ハウジング１ａ、１ｂ及び内部本体１ｃに動作可能に接続された機構本体７’’を備える。図７に示す実施形態によれば、機構本体７’’は係止レバー２３を備える。トリマヘッド１は、バネ保持部材３８と、捻りバネなどのバネ５０とをさらに備える。バネ５０は、上部ハウジング１ａとバネ保持部材３８とに接続される。バネ５０は、バネ保持部材３８とハウジング１ａ、１ｂとの間の相対運動を打ち消すように構成される。トリマヘッド１は、トリマヘッド１が閾値回転速度を上回る回転速度で回転するときに、バネ保持部材３８を内部本体１ｃに係止するように構成された遠心クラッチ３９をさらに備える。閾値回転速度は、例えば、５００〜１０００ｒｐｍの範囲内であってもよい。図示の実施形態によれば、遠心クラッチ３９は、バネ保持部材３８に配置された遠心係止装置４６と、内部本体１ｃの異なる円周位置にそれぞれ配置された２つの切り欠き４５、４５’とを備える。図示の実施形態によればピンとして形成されている遠心係止装置４６は、バネ４７によって、トリマヘッド１の回転軸ａｘに向かって半径方向に付勢される。トリマヘッド１が閾値回転速度を上回る回転速度で回転すると、遠心係止装置４６に作用する遠心力は、バネ４７の付勢力を克服する。その結果、遠心係止装置４６は２つの切り欠き４５、４５’のうちの１つに移動し、その結果、バネ保持部材３８は内部本体１ｃに回転自在に係止される。本明細書でさらに説明するように、遠心係止装置４６が２つの切り欠き４５、４５’のうちのどちらに移動するかは、トリマヘッド１の回転方向に依存する。バネ保持部材３８が内部本体１ｃに回転自在に係止されると、バネ保持部材３８は、内部本体１ｃがハウジング１ａ、１ｂに対して動くとき、ハウジング１ａ、１ｂに対して動くことになる。さらに、バネ保持部材３８が内部本体１ｃに回転自在に係止されると、バネ５０は、内部本体１ｃとハウジング１ａ、１ｂとの間の相対運動を打ち消すことになる。
【００５９】
図８は、図７のトリマヘッド１の上部ハウジング１ａ、機構本体７’’及びバネ保持部材３８の組み立てられた状態を示す。図８からわかるように、機構本体７’’は、旋回軸４８にて上部ハウジング１ａに軸支される。旋回軸４８はこのほか、図７に示される。機構本体７’’は、バネ保持部材３８の第１の当接面５１に当接するように構成された第１の当接面４９と、バネ保持部材３８の第２の当接面５１’に当接するように構成された第２の当接面４９’とを備える。機構本体７’’の係止レバー２３は、機構本体７’’の旋回軸４８から離れて配置される。さらに、機構本体７’’及び第１及び第２の当接面４９、５１、４９’、５１’は、トリマヘッドの回転軸ａｘに対する係止レバー２３の半径方向位置が、上部ハウジング１ａとバネ保持部材３８との間の相対回転位置に依存するように配置される。図示の実施形態によれば、機構本体７’’と第１及び第２の当接面４９、５１、４９’、５１’は、バネ保持部材３８が上部ハウジング１ａに対して動くとき、係止レバー２３が回転軸ａｘに対する第１の半径方向位置から回転軸ａｘに対する第２の半径方向位置に移動するように配置される。 
【００６０】
以下、図７を参照して説明する。機構本体７’’の係止レバー２３は、トリマヘッド１が組み立てられた状態にあるとき、内部本体１ｃの開口部５２を通って延びるように構成される。トリマラインスプール５’は凹部４２を備える。係止レバー２３は、トリマヘッド１が組み立てられた状態にあるとき、凹部４２内に延びるように構成される。凹部４２は、その内周壁４３上に一組の半径方向に突出する内部止め具４０を備え、その外周壁４４上に一組の半径方向に突出する外部止め具４１を備える。係止レバー２３は、一組の半径方向に突出する内部止め具４０と、一組の半径方向に突出する外部止め具４１と協働するように構成される。係止レバー２３が凹部４２の内周壁４３に向かって第１の半径方向位置にあるとき、トリマラインスプール５’は、係止レバー２３と半径方向に突出する内部止め具４０との間の当接によって回転することが防止される。係止レバー２３が凹部４２の外周壁４４に向かって第２の半径方向位置にあるとき、トリマラインスプール５’は、係止レバー２３と半径方向に突出する外部止め具４１との間の当接によって回転することが防止される。
図７からわかるように、半径方向に突出する外部止め具４１は、半径方向に突出する内部止め具４０に対して円周方向に移動する。このため、係止レバー２３が第１の半径方向位置から第２の半径方向位置に動くと、トリマラインスプール５’は自由になって、ハウジング１ａ、１ｂに対して所定の角度回転する。所定の角度は、半径方向に突出する内部止め具４０と半径方向に突出する外部止め具４１との間の円周方向距離によって判定される。図示の実施形態によれば、所定の角度は約３０度である。
【００６１】
係止レバー２３が第２の半径方向位置から第１の半径方向位置に動くとき、トリマラインスプール５’は、係止レバー２３と半径方向に突出する内部止め具４０との間の当接によって回転することが防止される。半径方向に突出する内部止め具４０は、半径方向に突出する外部止め具４１に対して円周方向に移動するため、トリマラインスプール５’は、係止レバー２３が第２の半径方向位置から第１の半径方向位置に動くと、自由になって、ハウジング１ａ、１ｂに対して任意の角度回転する。図示の実施形態によれば、隣接して半径方向に突出する２つの内部止め具４０の当接面が、回転軸ａｘ周りで互いから約６０度離れて配置される。このため、係止レバー２３が第１の半径方向位置から第２の半径方向位置に動き、第１の半径方向位置に戻る一連の過程では、トリマラインスプール５’は、回転軸ａｘ周りに約６０度回転することができる。
【００６２】
図７に示すように、下部ハウジング１ｂは開口部３０を備える。この開口部を通って、トリマヘッドの使用中にトリマラインが延びることになる。作動中、トリマラインに作用する遠心力が、開口部３０を通してトリマラインを引っ張ることになる。このため、トリマラインスプール５’がハウジング１ａ、１ｂに対して回転すると、トリマラインが供給されることになる。トリマラインに作用する遠心力は、自動供給機構７がそのような回転を可能にするとき、トリマラインスプール５’をハウジング１ａ、１ｂに対して回転させ得る。
【００６３】
要約すると、トリマヘッド１が閾値回転速度を上回る回転速度で回転軸ａｘ周りを回転するように駆動される場合、遠心クラッチ３９は、バネ保持部材３８を内部本体１ｃに係止する。トリマヘッド１にインターフェース２を介して閾値割合よりも高い割合、例えば、急激な減速で回転速度の変化が生じる場合、内部本体１ｃ及びバネ保持部材３８は、ハウジング１ａ、１ｂに対して回転することになる。その結果、係止レバー２３は第１の半径方向位置から第２の半径方向位置に動き、トリマラインスプール５’は自由になって回転する。トリマヘッド１が閾値回転速度を下回る回転速度で回転し、トリマヘッド１にインターフェース２を介して閾値割合よりも高い割合で回転速度の変化が生じる場合、内部本体１ｃが自由になってバネ保持部材３８に対して回転するためトリマラインは供給されないことになる。このため、遠心クラッチ３９により、自動供給機構７は、トリマヘッド１が閾値回転速度を上回る回転速度で回転し、トリマヘッド１にインターフェース２を介して閾値割合より高い割合で回転速度の変化が生じるときに、トリマラインを解放することになる。それにより、低めの回転速度でのトリマラインの意図しない解放を回避することができる。
【００６４】
記載したように、トリマヘッド１はアクチュエータ９’を備える。このような実施形態によれば、アクチュエータ９はバネ保持部材３８に接続される。アクチュエータ９’は、図４に示すように、トリマヘッド１が組み立てられた状態にあるとき、上部ハウジング１ａの開口部５３を通って延びる。アクチュエータ９は、ハウジング１ａ、１ｂに対して回転軸ａｘ周りに任意の角度押すか回転させることによって手動で作動させるように構成される。トリマヘッド１が停止しているか、閾値回転速度を下回る回転速度で回転しているとき、バネ保持部材３８は自由になって、内部本体１ｃに対して回転する。このため、アクチュエータ９’を、ハウジング１ａ、１ｂに対して回転軸ａｘ周りに任意の角度押すか回転させることによって手動で作動させるとき、バネ保持部材３８は、ハウジング１ａ、１ｂに対して回転軸ａｘ周りに任意の距離を動くことになる。その結果、係止レバー２３は第１の半径方向位置から第２の半径方向位置に動き、トリマラインスプール５’は自由になって所定の角度回転することになる。このため、図示の実施形態によれば、アクチュエータ９’は、バネ保持部材３８を介して係止レバー２３に動作可能に接続される。バネ保持部材３８がハウジング１ａ、１ｂに対して回転軸ａｘ周りを動くと、バネ５０は圧縮される。ユーザが、アクチュエータ９’を手動で作動させた後、開口部３０を通って延びるトリマラインを把持して、引き出してもよい。
アクチュエータ９’を解放すると、アクチュエータ９’はバネ５０によって中立の非作動位置に戻り、その結果、トリマラインスプール５’は自由になってハウジング１ａ、１ｂに対して任意の角度回転する。このため、ユーザは、アクチュエータ９’を解放した後、トリマラインを引っ張って、追加のトリマラインを供給してもよい。ユーザがトリマラインをさらに供給したい場合、ユーザはトリマラインを引っ張りながら、アクチュエータ９’のいくつかの作動動作を単に実施してもよい。
【００６５】
図４及び図７からわかるように、アクチュエータ９’は、回転軸ａｘから距離を置いて配置される。さらに、アクチュエータ９’は上部ハウジング１ａの凹部５４に配置される。その結果、アクチュエータ９’は、損傷から保護され、汚れ、油脂、植物の残留物などから保護される。さらに、アクチュエータ９の意図しない作動のリスクが低減される。トリマヘッド１がトリマに取り付けられると、トリマヘッド１の第１の部分１１がトリマに面し、トリマヘッド１の第２の部分１５がトリマに背を向ける。このため、トリマの動作中にトリマヘッド１が地面に対して水平に保持されると、トリマに背を向けるトリマヘッド１の第２の部分１５は地面に面し、トリマに面するトリマヘッド１の第１の部分１１は地面に背を向けることになる。図示の実施形態によれば、アクチュエータ９’は第１の部分１１に配置される。これにより、アクチュエータ９’は、ほこり、汚れ及び植物の残留物から保護される。さらに、アクチュエータ９’は、地面上の物体による損傷から保護される。さらに、アクチュエータ９’の意図しない作動のリスクが低減される。
【００６６】
図４及び図７に示す実施形態によるトリマヘッド１は、２つの異なる回転方向で動作することができるように構成される。即ち、トリマヘッド１が第１の回転方向に閾値回転速度を上回る回転速度で回転しているとき、遠心係止装置４６は、２つの切り欠き４５、４５’のうちの第１の切り欠き４５内に移動する。トリマヘッド１が、第１の回転方向とは反対の第２の回転方向に閾値回転速度を上回る回転速度で回転しているとき、遠心係止装置４６は、２つの切り欠き４５、４５’のうちの第２の切り欠き４５’に移動する。このようにして、内部本体１ｃとハウジング１ａ、１ｂとの間の相対運動を、トリマヘッド１の回転方向に関係なく、係止レバー２３の第１の位置から第２の位置への動作に伝達することができる。これにより、自動供給機構７は、トリマヘッド１の回転方向に関わらず、トリマラインを解放することができる。その結果、用途の広いトリマヘッド１が提供される。
【００６７】
バネ５０のバネ係数が、回転速度の変化の閾値割合に影響を及ぼす、即ち、内部本体１ｃとハウジング１ａ、１ｂとの間の相対運動を得るために必要な回転速度の変化の割合に影響を及ぼす。さらに、内部本体１ｃ、ハウジング１ａ、１ｂ、トリマラインスプール５’及び自動供給機構７などのトリマヘッド１の構成要素の質量及び慣性はこのほか、回転速度の変化の閾値割合のほか、構成要素間の摩擦力に影響を及ぼす。このような要因及び態様は、回転速度の変化の望ましい閾値割合を得るために選択されてもよい。いくつかの実施形態によれば、回転速度の変化の閾値割合は、トリマの通常動作中に得られる割合よりも高い割合に設定される。そのような実施形態によれば、自動供給機構７は、トリマヘッド１にインターフェース２を介してトリマの通常動作中に得られる割合よりも高い割合で回転速度の変化が生じるとき、トリマラインの解放を実施することになる。図４及び図７に示す実施形態によるトリマヘッド１を備えるトリマが、閾値回転速度よりも高い回転速度でトリマヘッド１を回転させ、通常動作中よりも高い割合でトリマヘッド１を加速させるか減速させることによって、トリマラインの供給を開始するように構成されてもよい。トリマヘッドを制動する、例えば、動力源を制動するか、トリマの動力源の動力を逆転させることによって、トリマヘッド１を減速させてもよい。そのようなトリマは、ボタンなどのインターフェース構成要素を備えてもよい。この構成要素を介してユーザが、トリマを制御して、閾値割合よりも高い割合でトリマヘッド１を加速するか減速することによってトリマラインの供給を開始することができる。これとは別に、あるいはこれに加えて、トリマは、トリマラインの長さを検出するように構成されたセンサを備えてもよい。ここで、トリマは、長さが閾値を下回るとトリマラインの供給を開始するように構成される。
【００６８】
これまでの記載はさまざまな例示的な実施形態を示すものであり、本発明は添付の特許請求の範囲によってのみ定義されることを理解されたい。当業者であれば、添付の特許請求の範囲によって定義される本発明の範囲から逸脱することなく、例示的な実施形態が変更されてもよく、例示的な実施形態の異なる特徴が組み合わされて、本明細書に記載された実施形態以外の実施形態を作成してもよいことを理解するであろう。本明細書で言及されるトリマ１３はこのほか、ストリングトリマ（ｓｔｒｉｎｇ  ｔｒｉｍｍｅｒ）、ウィードウィップ（ｗｅｅｄ−ｗｈｉｐ）、ホイッパースニッパー（ｗｈｉｐｐｅｒ−ｓｎｉｐｐｅｒ）、ウィードワッカー（ｗｅｅｄ−ｗｈａｃｋｅｒ）、ライントリマ（ｌｉｎｅ  ｔｒｉｍｍｅｒ）、回転式切断工具又はストリマ（ｓｔｒｉｍｍｅｒ）と呼ばれることがある。
【００６９】
本明細書で使用する場合、「具備する」又は「備える」という用語は非限定的であり、１つ又は複数の記載された特徴、要素、ステップ、構成要素又は機能を含むが、１つ又は複数の他の特徴、要素、ステップ、構成要素、機能又はそのグループの存在又は追加を排除するものではない。
【図１】
2021512594.tif 000003
【図２】
2021512594.tif 000004
【図３】
2021512594.tif 000005
【図４】
2021512594.tif 000006
【図５】
2021512594.tif 000007
【図６】
2021512594.tif 000008
【図７】
2021512594.tif 000009
【図８】
2021512594.tif 000010
【国際調査報告】
2021512594.tif 000011
2021512594.tif 000012